(57)【要約】      （修正有）【課題】非ＯＥＭハンドヘルドモバイル装置の相手先ブランド名製造（ＯＥＭ）ヒューマンマシンインタフェース（ＨＭＩ）装置の動作のための方法及び装置が提供される。【解決手段】装置のＨＭＩ制御ユニット２００は、乗り物のネットワークを介して受信されたアクセス要求を処理し、アクセス要求に応じてＯＥＭＨＭＩ装置に対応するＨＭＩ構成要求を送信する。装置は、ＨＭＩ構成要求に応じてＯＥＭＨＭＩ装置に対応するＨＭＩマッピング割り当てを受信し、非ＯＥＭＨＭＩデータを生成するためにＨＭＩマッピング割り当てをＯＥＭＨＭＩ装置データに適用する。【効果】ＯＥＭＨＭＩ装置データは、非ＯＥＭハンドヘルドモバイル装置の少なくとも１つのアプリケーション機能を操作するように動作可能である。【選択図】図２
2018032385.tif 000002
【特許請求の範囲】
【請求項１】
非ＯＥＭハンドヘルドモバイル装置の相手先ブランド名製造（ＯＥＭ）ヒューマンマシンインタフェース（ＨＭＩ）装置の動作を提供するための方法であって、
乗り物のネットワークを介して受信されたアクセス要求を処理するステップと、
前記アクセス要求に応じて前記ＯＥＭＨＭＩ装置に対応するヒューマンマシンインタフェース（ＨＭＩ）構成要求を送信するステップと、
前記ＨＭＩ構成要求に応じて前記ＯＥＭＨＭＩ装置に対応するＨＭＩマッピング割り当てを受信するステップと、
非ＯＥＭＨＭＩデータを生成するために前記ＨＭＩマッピング割り当てをＯＥＭＨＭＩ装置データに適用するステップであって、前記ＯＥＭＨＭＩ装置データが前記非ＯＥＭハンドヘルドモバイル装置の少なくとも１つのアプリケーション機能を操作するように動作可能である、ステップと
を含む、方法。
【請求項２】
前記非ＯＥＭハンドヘルドモバイル装置の前記乗り物のネットワークとの無線結合及び有線結合のいずれかを検知するステップと、
前記非ＯＥＭハンドヘルドモバイル装置の前記乗り物のネットワークとの前記無線結合及び前記有線結合のいずれかの検知により、
前記非ＯＥＭハンドヘルドモバイル装置を識別するための認証データを受信するステップと、
前記非ＯＥＭハンドヘルドモバイル装置を識別するステップと
を更に含む、請求項１に記載の方法。
【請求項３】
前記アクセス要求を認証するステップと、
前記アクセス要求が認証されると、
前記乗り物のネットワーク上のデータに対するアクセス権限レベルを決定するステップと、
前記アクセス権限レベルに基づいて前記乗り物のネットワーク上の前記データへのアクセスを制限するステップと
を更に含む、請求項１に記載の方法。
【請求項４】
前記識別するステップが、
前記非ＯＥＭハンドヘルドモバイル装置からモバイル装置識別情報を取り出すステップを更に含む、請求項２に記載の方法。
【請求項５】
前記モバイル装置識別情報を取り出すステップが、前記非ＯＥＭハンドヘルドモバイル装置との近距離無線通信（ＮＦＣ）に基づく、請求項４に記載の方法。
【請求項６】
前記モバイル装置識別情報が、
モバイルステーション識別（ＭＳＩＤ）データ、
モバイル識別番号（ＭＩＮ）データ、
国際モバイル加入識別（ＩＭＳＩ）データ、及び
製造業者シリアル番号データの少なくとも１つを含む、請求項５に記載の方法。
【請求項７】
前記アクセス要求がソフトウェアライセンスキーを含む、請求項１に記載の方法。
【請求項８】
相手先ブランド名製造（ＯＥＭ）ヒューマンマシンインタフェース（ＨＭＩ）装置の非ＯＥＭハンドヘルドモバイル装置との接続性を提供するための方法であって、
前記非ＯＥＭハンドヘルドモバイル装置を乗り物のネットワークと結合するステップと、
前記非ＯＥＭハンドヘルドモバイル装置によって前記乗り物のネットワークを介してアクセスデータ要求を送信するステップであって、前記アクセスデータ要求が、前記非ＯＥＭハンドヘルドモバイル装置による乗り物のネットワークデータへのアクセスを認証するための認証データを含む、ステップと、
前記アクセス要求に応じて前記ＯＥＭＨＭＩ装置の使用者入力機能に基づくヒューマンマシンインタフェース（ＨＭＩ）構成要求を受信するステップと、
前記ＨＭＩ構成要求に応じて前記ＯＥＭＨＭＩ装置の前記使用者入力機能に対応するＨＭＩ機能的マッピング割り当てを送信するステップであって、前記ＯＥＭＨＭＩ装置が前記非ＯＥＭハンドヘルドモバイル装置の少なくとも１つのアプリケーション機能を操作するように動作可能である、ステップと
を含む、方法。
【請求項９】
前記結合するステップが、前記非ＯＥＭハンドヘルドモバイル装置の前記乗り物のネットワークとの無線結合及び有線結合のいずれかを含む、請求項８に記載の方法。
【請求項１０】
前記アクセス要求が、前記非ＯＥＭハンドヘルドモバイル装置による前記乗り物のネットワークデータへのアクセス権限レベルを示す、請求項８に記載の方法。
【請求項１１】
前記認証データが、
モバイルステーション識別（ＭＳＩＤ）データ、
モバイル識別番号（ＭＩＮ）データ、
国際モバイル加入識別（ＩＭＳＩ）データ、及び
製造業者シリアル番号データの少なくとも１つを更に含む、請求項８に記載の方法。
【請求項１２】
前記ＨＭＩ構成要求が、
前記非ＯＥＭハンドヘルドモバイル装置の表示のためのグラフィックユーザインタフェース（ＧＵＩ）データ、
前記非ＯＥＭハンドヘルドモバイル装置の確認のための保存ＧＵＩデータ、及び
前記非ＯＥＭハンドヘルドモバイル装置の確認のためのデフォルトＧＵＩデータの少なくとも１つを含む、請求項８に記載の方法。
【請求項１３】
前記アクセス要求がソフトウェアライセンスキーを含む、請求項１に記載の方法。
【請求項１４】
ヒューマンマシンインタフェース（ＨＭＩ）制御ユニットであって、
乗り物のネットワークとの通信を提供する無線通信インタフェースと、
前記ＨＭＩ制御ユニットの動作を制御するための、前記無線通信インタフェースに結合されたプロセッサと、
前記プロセッサによって使用されるデータ及びプログラム命令を保存するための、前記プロセッサに結合されたメモリと
を含み、
前記プロセッサは、前記メモリ内に保存された命令を実行することで、
前記乗り物のネットワークを介してアクセス要求を受信し、
前記アクセス要求に応じて前記ＯＥＭＨＭＩ装置に対応するヒューマンマシンインタフェース（ＨＭＩ）構成要求を送信し、
前記ＨＭＩ構成要求に応じて前記ＯＥＭＨＭＩ装置に対応するＨＭＩマッピング割り当てを受信し、
前記非ＯＥＭハンドヘルドモバイル装置の少なくとも１つのアプリケーション機能を操作するように動作可能なＯＥＭＨＭＩ装置データに前記ＨＭＩマッピング割り当てを適用するように構成される、ヒューマンマシンインタフェース（ＨＭＩ）制御ユニット。
【請求項１５】
前記プロセッサが、さらに、前記メモリ内に保存された更なる命令を実行することで、
前記非ＯＥＭハンドヘルドモバイル装置の前記乗り物のネットワークとの無線結合及び有線結合のいずれかを検知し、
前記非ＯＥＭハンドヘルドモバイル装置の前記乗り物のネットワークとの前記無線結合及び前記有線結合のいずれかの検知により
前記非ＯＥＭハンドヘルドモバイル装置を識別するための認証データを受信し、
前記非ＯＥＭハンドヘルドモバイル装置を識別することによって前記アクセス要求を処理するように構成される、請求項１４に記載のＨＭＩ制御ユニット。
【請求項１６】
前記プロセッサが、さらに、前記メモリ内に保存された更なる命令を実行することで、
前記アクセス要求を認証し、
前記アクセス要求が認証されると、
乗り物のネットワークデータに対する前記非ＯＥＭハンドヘルドモバイル装置のためのアクセス権限レベルを決定し、
前記アクセス権限レベルに基づいて前記非ＯＥＭハンドヘルドモバイル装置による前記乗り物のネットワークデータへのアクセスを提供するように構成され、
前記アクセス権限レベルが、管理者アクセス権限レベル、所有者アクセス権限レベル、及びゲストアクセス権限レベルの少なくとも１つを含む、請求項１５に記載のＨＭＩ制御ユニット。
【請求項１７】
前記プロセッサが、さらに、前記メモリ内に保存された更なる命令を実行することで、
前記非ＯＥＭハンドヘルドモバイル装置からモバイル装置識別情報を取り出すことによって前記アクセス要求を認証するように構成される、請求項１６に記載のＨＭＩ制御ユニット。
【請求項１８】
前記モバイル装置識別情報を取り出すことが前記非ＯＥＭハンドヘルドモバイル装置との近距離無線通信（ＮＦＣ）に基づく、請求項１７に記載のＨＭＩ制御ユニット。
【請求項１９】
前記モバイル装置識別情報が、
モバイルステーション識別（ＭＳＩＤ）データ、
モバイル識別番号（ＭＩＮ）データ、
国際モバイル加入識別（ＩＭＳＩ）データ、及び
製造業者シリアル番号データの少なくとも１つを含む、請求項１８に記載のＨＭＩ制御ユニット。
【請求項２０】
前記アクセス要求がソフトウェアライセンスキーを含む、請求項１４に記載のＨＭＩ制御ユニット。
【発明の詳細な説明】
【技術分野】
【０００１】
ハンドヘルドモバイル装置による乗り物（vehicle）のヒューマンマシンインタフェース（ＨＭＩ）装置の動作のための装置及び方法が開示される。
【背景技術】
【０００２】
乗り物は、燃料節約、乗り心地特性、運転者支援特徴等のような乗り物の性能を向上させるためのコントローラ装置の実装を含む技術的進歩を取り込んできた。乗り物は乗り物内のインフォテインメントを含む技術的進歩により改善されてきたが、スマートフォン、タブレット、ファブレット等のようなパーソナル電子装置は、ポータブル通信及びインフォテインメント特徴のための顧客要求を提供する技術的進歩も経験してきた。パーソナル電子装置が乗り物のインフォテインメントの使用のため利用可能であり、従来の乗り物のヒューマンマシンインタフェース装置と相互動作可能であることが望ましい。
【発明の概要】
【０００３】
１つの実施態様において、非ＯＥＭハンドヘルドモバイル装置の相手先ブランド名製造（ＯＥＭ）ヒューマンマシンインタフェース（ＨＭＩ）装置の動作を提供するための方法が提供される。方法は、乗り物のネットワークを介して受信されるアクセス要求を処理することを含む。ＨＭＩ制御ユニットは、アクセス要求に応じてＯＥＭＨＭＩ装置に対応するＨＭＩ構成要求を送信する。ＨＭＩ制御ユニットは、ＨＭＩ構成要求に応じてＯＥＭＨＭＩ装置に対応するＨＭＩマッピング割り当てを受信する。ＨＭＩ制御ユニットは、非ＯＥＭＨＭＩデータを生成するためにＨＭＩマッピング割り当てをＯＥＭＨＭＩ装置データに適用し、ＯＥＭＨＭＩ装置データは、非ＯＥＭハンドヘルドモバイル装置の少なくとも１つのアプリケーション機能を操作するように動作可能である。
【０００４】
別の実施態様において相手先ブランド名製造（ＯＥＭ）ヒューマンマシンインタフェース（ＨＭＩ）装置の非ＯＥＭハンドヘルドモバイル装置との接続性を提供するための方法が開示される。方法は、非ＯＥＭハンドヘルドモバイル装置を乗り物のネットワークと結合することと、非ＯＥＭハンドヘルドモバイル装置によって乗り物のネットワークを介してアクセスデータ要求を送信することと、を含む。データ要求は、非ＯＥＭハンドヘルドモバイル装置による乗り物のネットワークデータへのアクセスを認証するための認証データを含む。非ＯＥＭハンドヘルドモバイル装置は、アクセス要求に応じてＯＥＭＨＭＩ装置の使用者入力機能に基づくヒューマンマシンインタフェース（ＨＭＩ）構成要求を受信し、ＯＥＭＨＭＩ装置の使用者入力機能に対応するＨＭＩ機能的マッピング割り当てに応じて、ＯＥＭＨＭＩ装置が非ＯＥＭハンドヘルドモバイル装置の少なくとも１つのアプリケーション機能を操作するように動作可能になるように送信する。
【０００５】
別の実施態様において、ヒューマンマシンインタフェース（ＨＭＩ）制御ユニットが開示される。ＨＭＩ制御ユニットは、無線通信インタフェース、プロセッサ及びメモリを含む。無線通信は乗り物のネットワークとの通信を提供する。プロセッサは、無線通信インタフェースに結合され、ＨＭＩ制御ユニットの動作を制御する。メモリはプロセッサに結合され、プロセッサによって使用されるデータ及びプログラム命令を保存し、プロセッサは、メモリ内に保存された命令を実行することで、乗り物のネットワークを介してアクセス要求を受信し、アクセス要求に応じてＯＥＭＨＭＩ装置に対応するヒューマンマシンインタフェース（ＨＭＩ）構成要求を送信するように構成される。プロセッサは、ＨＭＩ構成要求に応じてＯＥＭＨＭＩ装置に対応するＨＭＩマッピング割り当てを受信し、ＯＥＭＨＭＩ装置データにＨＭＩマッピング割り当てを適用し、ＯＥＭＨＭＩ装置データは非ＯＥＭハンドヘルドモバイル装置の少なくとも１つのアプリケーション機能を操作するように動作可能である。
【図面の簡単な説明】
【０００６】
【図１】乗り物のステアリングアセンブリ及びヘッドユニット装置の平面図を示す。
【図２】乗り物のネットワーク環境の状況におけるヒューマンマシンインタフェース（ＨＭＩ）制御ユニットのブロック図の実例を示す。
【図３】図２の非ＯＥＭハンドヘルドモバイル装置とＨＭＩ制御ユニットとの間のプロトコルを示すメッセージングダイアグラム（messaging diagram）を示す。
【図４】図１〜図３の非ＯＥＭハンドヘルドモバイル装置の機能を備えたＯＥＭＨＭＩ装置データを適用する、適用されたＨＭＩマッピング割り当ての実例を示す。
【図５】図２のＨＭＩ制御ユニットのブロック図である。
【図６】非ＯＥＭハンドヘルドモバイル装置の相手先ブランド名製造（ＯＥＭ）ヒューマンマシンインタフェース（ＨＭＩ）装置の動作を提供するための例示的な工程を示す。
【発明を実施するための形態】
【０００７】
説明は、添付の図を参照し、複数の図を通して類似の参照符号は類似の部分を参照する。
【０００８】
ヘッドユニットディスプレイは使用者ハンドヘルド装置のようには、ユーザーフレンドリー、設定可能、又はパワフルではないかもしれない。ヘッドユニット技術は乗り物の耐用年数に亘り時代遅れになり得る。更に、乗り物の使用者は彼らが最初に配備したヘッドユニットをタブレット、ファブレット、スマートフォン等と交換することを求めるかもしれず、これは、（使用者によって選択されるような）機能的アプリ、ゲームアプリ、及び音声／視覚プレイバック等を含む異なるアプリケーションで更新され得る。ヘッドユニットが時代遅れとなり得るとき（又は長期の使用に亘り動作しなくなり得るとき）、乗り物の使用者は概して最初の装置を第三者交換部品と交換するといった限られた選択を有する。
【０００９】
交換部品が相手先ブランド名製造（ＯＥＭ）装置でない限り、交換部品はステアリングホイールに配置され、概してヘッドユニット装置の周縁周りに配置された、従来のＨＭＩ装置のような乗り物のヒューマンマシンインタフェース（ＨＭＩ）装置に対してアクセスしないかもしれない。非ＯＥＭ交換装置は乗り物のネットワークにアクセスしないかもしれないため、非ＯＥＭ交換装置は乗り物のセンサデータ又は他の乗り物の入力にアクセスできないかもしれない。
【００１０】
図１は乗り物のステアリングアセンブリ１０２及びヘッドユニット装置１１０の平面図である。ステアリングアセンブリ１０２は、ヘッドユニット装置１１０の制御のような、乗り物の装置の制御を操作するように機能する相手先ブランド名製造（ＯＥＭ）ヒューマンマシンインタフェース（ＨＭＩ）装置１０４を含む。
【００１１】
ヘッドユニット装置１１０は、ヘッドユニット装置１１０の制御のような乗り物の装置の制御を操作するようにも機能するＯＥＭＨＭＩ装置１０６を含み、運転者／乗員温度設定、送風速度、再循環設定、温度検知ディスプレイ等のような乗り物の環境制御のための環境ＯＥＭＨＭＩ装置１２０を含んでもよい。
【００１２】
理解され得るように、乗り物の製造の状況において、相手先ブランド名製造（ＯＥＭ）装置は、概して、新しい乗り物構築の間に組み立てられて搭載された部品を指す。様々な製造業者は、最終的な乗り物アセンブリの仕様及び要件に対してこれらの装置を提供し、元の乗り物の製造業者との関係を有し、したがって、装置統合のために動作的及び／又は機能的仕様に対してアクセスすることができる。
【００１３】
対照的に、アフターマーケット又は非ＯＥＭ装置は、ＯＥＭ以外の製造業者によって作られたものであり、工場出荷後の組立のための代替品として搭載される。非ＯＥＭ製造業者は元の乗り物の製造業者の仕様及び要件にアクセスできないかもしれず、したがって、非ＯＥＭ装置は乗り物のＯＥＭ装置と統合する機能を有しないことがある。
【００１４】
ＯＥＭＨＭＩ装置１０４の実例により、ヒューマンマシンインタフェース（ＨＭＩ）という用語は、乗り物の操作者及び／又は乗員のような人が乗り物及び／又は乗り物内の乗り物の構成要素のような機械と相互作用する態様を指す。乗り物は、概して多数のＨＭＩ装置を含み得る。これらＨＭＩ装置は、同様に乗り物の自動化及び制御のために使用されるような、乗り物の監視制御及びデータ取得（ＳＣＡＤＡ）システム、分散制御システム（ＤＣＳ）等のための構成要素を提供する。
【００１５】
ＯＥＭＨＭＩ装置１０４は、音量制御トグル入力１１６、モードボタン１１２、バックスイッチ１１３、カーソルスイッチ１１４、及びエンタースイッチ１１５を含む。元々構成されていたように、音量制御トグル入力１１６は音量を増加／減少させるように動作する。モードボタン１１２は音声／ビデオデータ源（電波（air）、衛星、ＵＳＢファイル、コンパクトディスク等）を変更するように動作する。バックスイッチ１１３はヘッドユニットディスプレイを以前のスクリーンに戻すように動作する。カーソルスイッチ１１４は、ラジオステーション、ラジオプリセット、コンパクトディスクトラック、音声／視覚ファイル、個々の曲等のような、（モードボタン１１２によって選択され得るような）ソース内の音声／ビデオデータを選択するように動作する。ヘッドユニット装置１１０のＯＥＭＨＭＩ装置１０６は、ＯＥＭＨＭＩ装置１０４に対して類似する動作及び／又は機能を含み、乗り物の乗員及び乗り物の運転者によってアクセス可能である。
【００１６】
図１の実例を参照すると、非ＯＥＭハンドヘルドモバイル装置１０８は、ヘッドユニット装置１１０のディスプレイユニットに取って代わり、目的地への到着時に乗り物の使用者が乗り物を出るときに乗り物の使用者によって取り外される。別の特徴として、携帯可能で第１の乗り物と相互作用するように構成された非ＯＥＭハンドヘルドモバイル装置１０８は、類似する乗り物の製造業者の他の乗り物における類似のインフォテインメント及び装置アプリ機能を提供するためのライセンス及び／又はアクセス許可により使用されてもよく、（乗り物のブランドに亘って、且つ、たとえば、地上用、水上用及び／又は飛行用の乗り物のような乗用乗り物又は非乗用乗り物に亘って）類似しない乗り物の製造業者において使用されてもよい。
【００１７】
実際には、非ＯＥＭハンドヘルドモバイル装置１０８は、有線及び／又は無線ベースで乗り物のネットワークとドッキングされ及び／又は結合され１３０、ヘッドエンドユニット装置１１０と関連付けられた機能を提供し、且つ非ＯＥＭハンドヘルドモバイル装置１０８を介して付加的な機能を提供する。
【００１８】
ヘッドユニット装置１１０は受信機プラットフォームを提供し、受信機プラットフォームは、乗り物におけるノートブックコンピュータ、ノートパソコン、タブレット、ファブレット、及び／又はスマートフォン動作のような様々な非ＯＥＭハンドヘルドモバイル装置１０８のために構成され、更に乗り物のためのＯＥＭヘッドユニット装置に取って代わるように構成される。ドッキングプラットフォームは、ＯＥＭヘッドユニット装置１１０の平坦な設計及び／又は平面設計を模倣し、一方、便利且つ人間工学的な位置に非ＯＥＭハンドヘルドモバイル装置１０８を位置付けることを可能とする調整可能なアーマチャ、乗り物のデスク又はラックプラットフォームのような他の構成を提供してもよい。また、結合構成は、非ＯＥＭハンドヘルドモバイル装置１０８の迅速且つ容易なドッキング及びドッキング解除を可能とする態様を含む。ドッキングプラットフォームは、非ＯＥＭハンドヘルドモバイル装置１０８を受容し且つ／又は載置するためのドッキングステーションを含んでよい。
【００１９】
また、当業者に理解され得るように、非ＯＥＭハンドヘルドモバイル装置１０８はＯＥＭヘッドユニット装置１１０に存在するものを超えた付加的な機能及び構成機能を提供することができる。
【００２０】
非ＯＥＭハンドヘルドモバイル装置１０８は、スマートフォン、タブレット、ファブレット（すなわち、スマートフォンとタブレットコンピュータとの間の中間サイズのスクリーンを有するスマートフォン）等のような第三者装置であってよい。非ＯＥＭハンドヘルドモバイル装置は、音声命令のための常時リスニング機能、新しい通知（たとえば、ｅメール、テキスト、アップデート等）のために個々のピクセルを明るくするためのアクティヴ表示機能、位置に基づくリマインダー機能等のような拡張された機能性を提供することができる。
【００２１】
非ＯＥＭハンドヘルドモバイル装置１０８の動作的特徴は、高解像度（ＨＤ）ビデオキャプチャを備えたメガピクセルカメラ、外部のモニターへの（又は装置ディスプレイへの）高解像度（ＨＤ）出力、ＦＭラジオ機能、ミュージックファイルプレイヤー機能、メディア共有のためのデジタルリビングネットワークアライアンス（ＤＬＮＡ（登録商標））サポートを含むことができる。
【００２２】
無線通信に関して、装置１０８は、様々な通信標準仕様下のセルラー音声／データ機能を含むことができる。無線通信システムは、限定されるものではないが、３ＧＰＰ（第３世代パートナーシッププロジェクト）、４ＧＰＰ（第４世代パートナーシッププロジェクト）、５ＧＰＰ（第５世代パートナーシッププロジェクト）、ＬＴＥ（ロングタームエボリューション）、ＬＴＥアドバンスト、ＲＦＩＤ、近距離無線通信（ＮＦＣ）、ＩＥＥＥ８０２．１１、Ｂｌｕｅｔｏｏｔｈ（登録商標）、ＡＭＰＳ（アドヴァンストモバイルフォンサービス）、デジタルＡＭＰＳ、ＧＭＳ（モバイル通信のためのグローバルシステム）、ＣＤＭＡ（符号分割多重アクセス）、ＬＭＤＳ（ローカルマルチポイント配信システム）、ＭＭＤＳ（多重チャンネル多重ポイント配信システム）、ＩｒＤＡ、無線ＵＳＢ、Ｚウェーブ、ジグビー、及び／又はこれらの変形を含む、１つまたは複数の標準仕様にしたがって動作する。
【００２３】
乗り物のヘッドユニット装置１１０は、非ＯＥＭハンドヘルドモバイル装置１０８を物理的に受容するように変更され、有線及び／又は無線ベースで乗り物のネットワークと結合し、ＯＥＭＨＭＩ装置１０４、ＯＥＭＨＭＩ装置１０６、環境ＯＥＭＨＭＩ装置１２０、及び図２〜図６を参照して詳細に説明されるような乗り物の他のＯＥＭＨＭＩ装置のような乗り物のＯＥＭＨＭＩ装置と相互動作することができる。
【００２４】
ここで図２を参照すると、乗り物のネットワーク環境２０２の状況におけるヒューマンマシンインタフェース（ＨＭＩ）制御ユニット２００のブロック図の実例が提供される。ＨＭＩ制御ユニット２００が他の乗り物の構成要素と共に抽象的に示されるが、ＨＭＩ制御ユニット２００は乗り物のシステム構成要素と組み合わされてもよい。
【００２５】
乗り物のネットワーク２０２はＨＭＩ制御ユニット２００及び音声／視覚制御ユニット２０８を含む。制御ユニットの他の例は、概して、（エンジン、トランスミッション、シャフト、車輪等のような）パワートレイン、シャーシ（内部パワートレイン支持部及びブレーキ、ステアリング、サスペンション等）、（暖房、空調、シート制御、ウィンドウ制御、照明等のような）身体及び快適さ（body-and comfort）、（乗り物内のナビゲーション、クルーズコントロール、支援駐車及び／又は自律運転等）運転者支援、及びこれらの均等物を含む。
【００２６】
ＨＭＩ制御ユニット２００は、人と乗り物の電子機器との間の相互作用を容易にするように動作する。ＨＭＩ制御ユニット２００は、乗り物の装置及び外部の装置からの情報をユーザーフレンドリー且つ使用可能な態様で提示するように動作し、運転者及び／又は乗員が乗り物の動作及びインフォテインメントシステムを制御することを可能とする。
【００２７】
ＨＭＩ制御２００は、Ｂｌｕｅｔｏｏｔｈ、Ｗｉ−Ｆｉ、及び／又はセルラーネットワークを介して外部の装置に結合し、センサデータ２６６からシステム診断を提供し、そうでなければ他の乗り物の制御ユニットに通信可能に結合され、音声／視覚制御ユニット２０８及びヘッドユニット装置１１０を介して乗り物の使用者に対して情報を視覚的に表示する。
【００２８】
制御ユニットはネットワーク２１２及び通信経路２１３を介して通信可能に結合される。ＨＭＩ制御ユニット２００は、通信経路２１３及びネットワーク２１２を介してヘッドユニット装置１１０と通信し、センサデータ２６６にアクセスするためにセンサ制御ユニット（図示せず）と通信する。ＨＭＩ制御ユニット２００は、アンテナ２２０及び無線通信２３８を介して、並びに、概して他のハンドヘルド使用者装置（たとえば、携帯電話、スマートフォン、パーソナルデジタルアシスタント（ＰＤＡ）装置、タブレットコンピュータ、ｅリーダー等）への無線通信を介して、非ＯＥＭハンドヘルドモバイル装置１０８と無線的に結合される。
【００２９】
この態様では、ＨＭＩ制御ユニット２００は、ＯＥＭＨＭＩ装置データ２６２のような入力データを受信し、順に音声／視覚制御ユニット２０８を介してヘッドユニット装置１１０に非ＯＥＭＨＭＩデータ２６４を提供するように動作する。理解され得るように、ＨＭＩ制御ユニット２００は、無線及び／又は有線ベースでネットワーク２１２を介して通信可能に結合し得る他の装置に対して非ＯＥＭＨＭＩデータ２６４を提供するように動作してもよい。
【００３０】
さらに図２を参照すると、音声／視覚制御ユニット２０８は、たとえば音声／視覚データ２０９をディスプレイに提供するように動作し、ディスプレイは、本実例では、ヘッドユニット装置１１０にディスプレイ機能を提供するように動作する非ＯＥＭハンドヘルドモバイル装置１０８である。
【００３１】
音声／視覚データ２０９及び入力データ２１１は、音声データ、ハンズフリー電話データ、音声制御データ、ナビゲーションデータ、ＵＳＢ接続データ、ＤＶＤプレイ機能データ、多機能計測機能データ、（調光制御のような）ディスプレイ３０６のための照明信号データ、（センサデータ２６６を介した乗り物の速度、後進（reverse）等のような）運転状態認識データ、（ＬｉＤＡＲセンサ装置、カメラ等を介するような）合成画像信号データを含んでよい。
【００３２】
ＯＥＭＨＭＩ装置１０６によって受信される入力データ２１１は、非ＯＥＭハンドヘルドモバイル装置１０８の動作に影響を与えるように非ＯＥＭＨＭＩデータ２６４と同様に変換され且つ／又はマッピングされる。更に理解され得るように、非ＯＥＭＨＭＩデータ２６４は、たとえば、抵抗タッチスクリーン、表面弾性波タッチスクリーン、容量タッチスクリーン、表面静電容量タッチスクリーン等の適切なタッチスクリーン技術によって使用者入力データ２１１を介して提供されてもよい。
【００３３】
装置１０８のタッチスクリーンは、たとえば、マップ、ナビゲーション、エンターテイメント、情報、インフォテインメント、及び／又はこれらの組み合わせのような視覚的な出力又はグラフィックユーザインタフェースを提供するように動作する。装置１０８のタッチスクリーンは、たとえば、陰極線管、発光ダイオード、液晶ディスプレイ、プラズマディスプレイ、又は表示データ２０９に応じてモノクロ若しくはカラーのいずれかのグラフィック、テキスト又はビデオを表示する他の２次元若しくは３次元ディスプレイのような光学的及び／又は視覚的な出力を送信可能な媒体を含む。
【００３４】
ヘッドユニット装置１１０は、通信経路２１３が触覚入力（tactile input）を乗り物の他の制御ユニット及び／又はモジュールに通信可能に結合するように、触知性入力及び／又は制御入力を含んでもよい。触覚入力データは、通信経路２１３を介して送信可能なデータ信号に機械的、光学的又は電気的な信号を変換することができる装置により提供される。
【００３５】
非ＯＥＭハンドヘルドモバイル装置１０８の触覚入力は多数の可動オブジェクト（movable object）を含み、多数の可動オブジェクトは、それぞれ、例えばＯＥＭＨＭＩ装置１０４の使用者機能に対応するＨＭＩ機能的マッピング割り当てを生成するために、たとえばボタン、スイッチ、ノブ、マイク等のような通信経路２１３を介して送信され得るデータ信号に物理的動作を変換する。装置１０６、１２０及びこれらの均等物のような他のＯＥＭＨＭＩ装置に関して同様のマップが生成されてもよい。
【００３６】
ヘッドユニット装置１１０は、音声／視覚制御ユニット２０８からの表示データ２０９に基づいて、乗り物の動作状態に関する情報を提供するように動作してもよい。更に、ヘッドアップディスプレイ（図示せず）のような乗り物のための他のモニター装置、又は乗り物のステアリングホイールの後方の乗り物のダッシュアセンブリにおける計器クラスタにグラフィックベースの計器クラスタディスプレイが提供されてよい。
【００３７】
理解され得るように、乗り物のネットワーク環境２０２の通信経路２１３は、たとえば、導線、導電トレース、光導波路、又はこれらの均等物のような信号の送信に適した媒体によって形成される。更に、通信経路２１３は、信号を送信可能な媒体の組み合わせから形成され得る。
【００３８】
通信経路２１３は、たとえば、ボディエレクトロニックエリアネットワーク（ＢＥＡＮ）、コントローラエリアネットワーク（ＣＡＮ）バス構成、オーディオヴィジュアルコミュニケーション−ローカルエリアネットワーク（ＡＶＣ−ＬＡＮ）構成、ローカルインターコネクトネットワーク（ＬＩＮ）構成、ヴィークルエリアネットワーク（ＶＡＮ）バス、及び／又は乗り物の装置とシステムとの間の通信を提供するための付加的な通信システムアーキテクチャの他の組み合わせのような乗り物のバス又はこれらの組み合わせによって提供される。
【００３９】
さらに理解され得るように、通信経路２１３は自動車イーサネットのような他のネットワーク仕様の下で提供されもよく、自動車イーサネットは、例えばＩＥＥＥ８０２．３、８０２．１及び１７２２ワーキンググループの下で開発されたものであり、ＩＥＥＥ８０２．１Ｑａｔ（ストリームリザベーションプロトコル（ＳＲＰ）、ＩＥＥＥ８０２．１Ｑａｖ（Ｑａｖキューイング及びフォワーディングプロトコル）等の下でイーサネット（登録商標）上の音声ビデオブリッジ（ＡＶＢ）も含む。
【００４０】
アンテナ２２０を介する無線通信２３８は、１つ又は多くの無線通信システム仕様に基づいてよい。たとえば、無線通信システムは、限定されるものではないが、３ＧＰＰ（第３世代パートナーシッププロジェクト）、４ＧＰＰ（第４世代パートナーシッププロジェクト）、５ＧＰＰ（第５世代パートナーシッププロジェクト）、ＬＴＥ（ロングタームエボリューション）、ＬＴＥアドバンスト、ＲＦＩＤ、ＩＥＥＥ８０２．１１、Ｂｌｕｅｔｏｏｔｈ、ＡＭＰＳ（アドヴァンストモバイルフォンサービス）、デジタルＡＭＰＳ、ＧＭＳ（モバイル通信のためのグローバルシステム）、ＣＤＭＡ（符号分割多重アクセス）、ＬＭＤＳ（ローカルマルチポイント配信システム）、ＭＭＤＳ（多重チャンネル多重ポイント配信システム）、ＩｒＤＡ、無線ＵＳＢ、Ｚウェーブ、ジグビー、及び／又はこれらの変形を含む、１つまたは複数の標準仕様にしたがって動作する。
【００４１】
図３を参照すると、メッセージングダイアグラム３００が示される。メッセージングダイアグラムは、ＨＭＩ制御ユニット２００と非ＯＥＭハンドヘルドモバイル装置１０８との間のメッセージングを示す。例示的なプロトコルに基づいて、相手先ブランド名製造（ＯＥＭ）ヒューマンマシンインタフェース（ＨＭＩ）装置１０４と非ＯＥＭハンドヘルドモバイル装置１０８との間で相互動作性が提供される。
【００４２】
最初に、非ＯＥＭハンドヘルドモバイル装置１０８は１３０において乗り物のネットワーク２１２と結合する（図２参照）。結合は有線結合及び／又は無線結合であってよい。有線結合の実例は、ＵＳＢ、ファイヤーワイヤー（ＩＥＥ１３９４）等のような様々な通信プロトコルを介したネットワークインタフェースを介するような乗り物のネットワーク２１２に対する装置１０８のための物理ソケット及び／又はピンレシーバ（pin receiver）である。無線結合の実例は、ＨＭＩ制御ユニット２００のアンテナ２２０（図２参照）、８０２．１１通信（及びその変形）、Ｂｌｕｅｔｏｏｔｈ、近距離無線通信（ＮＦＣ）等を介したものである。
【００４３】
メッセージング３０４を介して結合を検知すると、ＨＭＩ制御ユニットは認証データ３０６を受信する。認証データは、動作３０８において非ＯＥＭハンドヘルドモバイル装置１０８を識別するように働く。
【００４４】
装置１０８の識別は、無線及び／又は有線結合を通してモバイル装置識別情報を取り出すことによって提供され、更に非ＯＥＭハンドヘルドモバイル装置１０８による近距離無線通信（ＮＦＣ）によって提供されてよい。モバイル装置識別情報は、モバイルステーション識別（ＭＳＩＤ）データ、モバイル識別番号（ＭＩＮ）データ、国際モバイル加入識別（ＩＭＳＩ）データ、製造業者シリアル番号データ等の形式であってよい。
【００４５】
ＨＭＩ制御ユニット２００はアクセス要求３１０を受信し、非ＯＥＭハンドヘルドモバイル装置１０８によって提供されるようなアクセス要求３１０を認証する。３１２において認証すると、ＨＭＩ制御ユニット２００は乗り物のネットワークに対するアクセス権限レベルを決定し、アクセス権限レベルは、管理者アクセス権限レベル（すなわち、インストーラ及び／又は乗り物の組み立て設備におけるテストのためのような完全な乗り物のネットワークデータアクセス）、所有者アクセス権限レベル（すなわち、中程度の乗り物のネットワークデータアクセス）、及び／又はゲストアクセス権限レベル（すなわち、基本機能のための低いネットワークデータアクセス）であってよい。
【００４６】
理解され得るように、アクセス要求３１０はソフトウェアライセンスキーを含んでよい。ソフトウェアライセンスキーは、非ＯＥＭハンドヘルドモバイル装置１０８を介したアプリの購入で提供され得る。ソフトウェアライセンスキーは、乗り物データ及び／又はＯＥＭＨＭＩ装置データにアクセスするための制限されたライセンスを提供する。ソフトウェアライセンスキーは、非ＯＥＭハンドヘルドモバイル装置１０８とのＯＥＭＨＭＩ装置１０４の相互動作性を提供するように動作してよい。キーは（非ＯＥＭハンドヘルドモバイル装置１０８についての識別子のような）装置番号といくつかの他の情報との組み合わせであってよい。キーが非ＯＥＭハンドヘルドモバイル装置１０８に対して固有であるため、キーは他のモバイル装置によって送信され且つ／又は使用されない。
【００４７】
斯かるアクセスアプリは、乗り物の製造業者によって認可された再販売業者であり得る第三者ベンダーを通して提供されてよい。斯かるライセンスは、ソフトウェアライセンスキーがアクセスし得る多数のシート又は乗り物を含み、付加的なサービスを提供してよい。付加的なサービスの実例は、装置１０８に関するＨＭＩマッピング割り当てのクラウドストレージを含み、装置１０８が他の乗り物に再配置される場合、非ＯＥＭハンドヘルドモバイル装置が配備されるときにＨＭＩマッピング割り当てが乗り物にプッシュされる（pushed）。
【００４８】
動作中、ＨＭＩ制御ユニット２００は、装置１０４、装置１０６及び／又は装置１２０のような所望のＯＥＭＨＭＩ装置に対応するヒューマンマシンインタフェース（ＨＭＩ）構成要求３１４を送信する。
【００４９】
理解され得るように、乗り物のＯＥＭＨＭＩ装置は、概して非ＯＥＭハンドヘルドモバイル装置１０８とのアクセス性及び相互動作性のためにマッピングされる。提供される実例について、ＯＥＭＨＭＩ装置１０４は本明細書における説明を明確にするために説明される。
【００５０】
ＨＭＩ構成要求３１４は、非ＯＥＭハンドヘルドモバイル装置による表示のためにグラフィックユーザインタフェース（ＧＵＩ）データを提供してよい。この実例において、ＯＥＭＨＭＩ装置１０４の表示は、非ＯＥＭハンドヘルドモバイル装置１０８において表示され、装置入力が学習される。たとえば、音量制御トグル入力１１６は装置１０８等の音量制御トグル入力とグラフィック的に相互に関連付けられる。
【００５１】
理解され得るように、非ＯＥＭハンドヘルドモバイル装置１０８は以前の構成アクティビティからの保存ＧＵＩデータをＨＭＩマッピング割り当て３１６に提供してよい。非ＯＥＭハンドヘルドモバイル装置１０８はＯＥＭＨＭＩ装置との基本相互動作性に対するあらかじめ保存されたＧＵＩデータを確認してよい。また、ＨＭＩ制御ユニット２００は非ＯＥＭハンドヘルドモバイル装置の確認のためのデフォルトＧＵＩデータをＨＭＩ構成要求と共に提供する。デフォルトＧＵＩデータはＯＥＭＨＭＩ装置１０４との相互動作性のために非ＯＥＭハンドヘルドモバイル装置１０８に適合してもよい。
【００５２】
理解され得るように、ＯＥＭＨＭＩ装置１０４の音量制御トグル入力１１６に適用されるディスプレイスクロール機能のような他の機能をＧＵＩ表示にマッピングすることができる。
【００５３】
利用可能なマッピング割り当てはＨＭＩマッピング割り当て３１６としてＨＭＩ制御ユニット２００によって受信される。ＨＭＩマッピング割り当て３１６において、非ＯＥＭハンドヘルドモバイル装置１０８の機能的入力がＯＥＭＨＭＩ装置１０４のスイッチ入力とマッピングされ且つ／又は相互に関連付けられ、このことは図４を参照して更に詳細に説明される。
【００５４】
適用されたＨＭＩマッピング割り当て３１８により、ＨＭＩ制御ユニット２００はＯＥＭＨＭＩ装置データ２６２をＯＥＭＨＭＩ装置１０４から受信するように動作し、非ＯＥＭＨＭＩデータ２６４を生成する。非ＯＥＭＨＭＩデータ２６４は音声／視覚制御ユニット２０８を介して装置１０８に提供される。その後、機能的制御が非ＯＥＭハンドヘルドモバイル装置１０８によって適用される。
【００５５】
図４は、ＯＥＭＨＭＩ装置１０４に基づく、適用されたＨＭＩマッピング割り当て３１６の実例を示す。適用されたマッピング割り当て３１６は、装置１０４、１０６及び／又は１２０（図１参照）のようなＯＥＭＨＭＩ装置との相互動作性を提供すべく、非ＯＥＭハンドヘルドモバイル装置からＨＭＩマッピング割り当て３１４を受信して形成される。
【００５６】
図４に示されるように、適用されたＨＭＩマッピング割り当て３１６は、装置フィールド４０２、入力フィールド４０４、及び（アプリケーションモードｎｎｎを通した音声アプリケーションモード４２２、乗り物アプリケーションモード４２４のような）アプリケーションフィールドを含む。ＨＭＩ構成の間、乗り物の使用者はアプリケーションを指定することができ、アプリケーションはＯＥＭＨＭＩ装置１０４のモードボタン１１２を介して選択される。
【００５７】
アプリケーション特徴は、装置フィールド４０２によって設定された装置、例えばＯＥＭＨＭＩ装置１０４によって入力フィールド４０４を介して制御される。実例として、音量制御トグル入力１１６は、音声アプリケーションモード４２２について、乗り物内の音声の音量を増加又は減少させる。乗り物アプリケーションモード４２４において、音量制御トグル入力１１６は、燃費、タコメータデータ、速度データ、エンジン温度等のような様々なシステム情報にアクセスするためにディスプレイをスクロールする。
【００５８】
この態様では、ＯＥＭＨＭＩ装置１０４の入力に機能的アクションが提供され、ＨＭＩ制御ユニット２００は、対応するＯＥＭデータフィールド４０８における入力データ値を相互に関連付ける。ＯＥＭデータフィールド４０８における入力データ値は、非ＯＥＭデータフィールド４１０において提供される非ＯＥＭデータ値とマッピングされる。
【００５９】
理解され得るように、乗り物の装置間のデータ通信は（例えばアプリケーション層の下であるがデータリンク層の上であるネットワークトランスファー層において）暗号化される。斯かる暗号化は、ＯＥＭＨＭＩ装置１０４を用いた非ＯＥＭハンドヘルドモバイル装置１０８の機能的動作を乗り物の使用者に提供しつつ、意図しないアクセスからデータネットワークを更に保護することができる。
【００６０】
図５はＨＭＩ制御ユニット２００のブロック図であり、ＨＭＩ制御ユニットは、バス５０８を介して通信可能に結合された無線通信インタフェース５０２、プロセッサ５０４及びメモリ５０６を含む。
【００６１】
制御ユニット２００内のプロセッサ５０４は、情報を操作又は処理することができる従来の中央処理装置若しくはその他のタイプの装置又は複数の装置である。理解され得るように、プロセッサ５０４は単一の処理装置又は複数の処理装置である。斯かる処理装置は、マイクロプロセッサ、マイクロコントローラ、デジタル信号プロセッサ、マイクロコンピュータ、中央処理装置、フィールドプログラマブルゲートアレイ、プログラマブルロジックデバイス、ステートマシン、論理回路、アナログ回路、デジタル回路、及び／又は回路のハードコーディング及び／又は動作命令に基づいて信号（アナログ及び／又はデジタル）を操作する任意の装置である。
【００６２】
メモリ及び／又はメモリ要素５０６は、１つのメモリ装置、複数のメモリ装置、及び／又はプロセッサ５０４の埋め込み回路である。斯かるメモリ装置は、読み出し専用メモリ、ランダムアクセスメモリ、揮発性メモリ、不揮発性メモリ、スタティックメモリ、ダイナミックメモリ、フラッシュメモリ、キャッシュメモリ、及び／又はデジタル情報を保存する任意の装置であってよい。メモリ５０６は、機械可読命令がプロセッサ５０４によってアクセスされ得るように機械可読命令を保存することができる。機械可読命令は、たとえば、プロセッサ５０４によって直接実行され得る機械語、又は機械可読命令にコンパイルされ又はアセンブリされ且つメモリ５０６に保存され得るアセンブリ言語、オブジェクト指向プログラミング（ＯＯＰ）、スクリプト言語、マイクロコード等のようなプログラム言語及びこれらの世代（たとえば、１ＧＬ、２ＧＬ、３ＧＬ、４ＧＬ、又は５ＧＬ）で書かれたロジック又はアルゴリズムを含む。なお、機械可読命令は、フィールドプログラマブルゲートアレイ（ＦＰＧＡ）形態若しくは特定用途向け集積回路（ＡＳＩＣ）、又はこれらの均等物を介して実装されたロジックのようなハードウェア記述言語（ＨＤＬ）で書かれる。したがって、本明細書に記載の方法及び装置は、予めプログラムされたハードウェア要素として、又はハードウェアとソフトウェア要素との組み合わせとして、任意の従来のコンピュータプログラミング言語で実装される。
【００６３】
プロセッサ５０４が１つよりも多い処理装置を含むとき、処理装置が中央に配置され（たとえば、有線及び／又は無線バス構造を介して互いに直接結合される）、又は分散配置される（たとえば、ローカルエリアネットワーク及び／又は広域ネットワークを介する間接的な結合を介したクラウドコンピューティング）ことに留意されたい。更に、プロセッサ５０４が、ステートマシン、アナログ回路、デジタル回路、及び／又は論理回路を介してその機能の１つ又は複数を実行するとき、対応する動作命令を保存するメモリ及び／又はメモリ要素は、ステートマシン、アナログ回路、デジタル回路、及び／又は論理回路を含む回路の内部又は外部に組み込まれてよいことに留意されたい。更に乗り物の加速度の特性を評価して本明細書に記載の略リアルタイムフィードバック特徴及び方法を提供するために、図１〜図６に示された少なくともいくつかのステップ及び／又は機能に対応するハードコーディングされ且つ／又は動作可能な命令をメモリ要素が保存してプロセッサ５０４が実行することに留意されたい。
【００６４】
無線通信インタフェース５０２は、概して通信経路２１３及び／又は無線通信２３８上の乗り物のネットワーク２１２を介して乗り物の使用者入力データを調整し、管理する。無線通信インタフェース５０２は、乗り物の使用者に対する表示データ及び／又は乗り物の状態データのようなコントローラユニット出力データも管理する。任意の特定のハードウェア構成を動作させる本開示において制限はなく、したがって、本明細書における基本的特徴は、開発し得るような改良されたハードウェア及び／又はファームウェア構成のために置き換えられ、取り除かれ、付加され、或いは変更されてよい。
【００６５】
センサデータ２６６（図２参照）は、乗り物の周囲の環境の明度又は反射性戻り（reflectivity return）の捕捉と、瞬間的な乗り物の速度データと、乗り物の燃費を改善するためのフィードバックを提供するための加速状態を決定するための加速度データとを含む。概して、乗り物のセンサによって捕捉されたデータ２６６は、非ＯＥＭハンドヘルドモバイル装置１０８の１つ又は複数のアプリケーションによって使用される。
【００６６】
無線通信インタフェース５０２を備えたアンテナ２２０は、無線通信２３８を含む、ＨＭＩ制御ユニット２００との無線通信を提供するように動作する。
【００６７】
斯かる無線通信は、国の及び／又は国際的な携帯電話システムから、インターネットへ、２地点間屋内無線ネットワークへ、無線自動識別（ＲＦＩＤ）及び／又は近距離無線通信（ＮＦＣ）システムへと広がる。それぞれの形式の通信システムが構成され、こうして１つ又は複数の通信標準にしたがって動作する。たとえば、無線通信システムは、限定されるものではないが、３ＧＰＰ（第３世代パートナーシッププロジェクト）、４ＧＰＰ（第４世代パートナーシッププロジェクト）、５ＧＰＰ（第５世代パートナーシッププロジェクト）、ＬＴＥ（ロングタームエボリューション）、ＬＴＥアドバンスト、ＲＦＩＤ、近距離無線通信（ＮＦＣ）、ＩＥＥＥ８０２．１１、Ｂｌｕｅｔｏｏｔｈ、ＡＭＰＳ（アドヴァンストモバイルフォンサービス）、デジタルＡＭＰＳ、ＧＭＳ（モバイル通信のためのグローバルシステム）、ＣＤＭＡ（符号分割多重アクセス）、ＬＭＤＳ（ローカルマルチポイント配信システム）、ＭＭＤＳ（多重チャンネル多重ポイント配信システム）、及び／又はその変形を含む、１つまたは複数の標準にしたがって動作する。
【００６８】
ＨＭＩ制御ユニット２００の構造は、音声／視覚制御ユニット２０８、及び／又は乗り物のネットワーク環境２０２により実現され得る他の制御ユニットの受け入れ可能なアーキテクチャとして使用されてもよい。それぞれの制御ユニットは、通信インタフェース又は無線通信インタフェース、プロセッサ、及びデータバスを介して通信可能に結合され得るメモリを含んでよい。理解され得るように、類似する機能的能力を有する他のアーキテクチャが実現されてもよい。
【００６９】
他の制御ユニットのためのプロセッサは、従来の中央処理装置であってよく、又は情報を操作若しくは処理することができる任意の他の形式の装置、又は複数の装置であってもよい。理解され得るように、プロセッサは、単一の処理装置又は複数の処理装置であってよい。斯かる処理装置は、マイクロプロセッサ、マイクロコントローラ、デジタル信号プロセッサ、マイクロコンピュータ、中央処理装置、フィールドプログラマブルゲートアレイ、プログラマブルロジックデバイス、ステートマシン、論理回路、アナログ回路、デジタル回路及び／又は回路のハードコーディング及び／又は動作命令に基づいて信号（アナログ及び／又はデジタル）を操作する任意の装置であってよい。
【００７０】
制御ユニット２０８のためのメモリ及び／又はメモリ要素は、たとえば、制御ユニット２０８に関連したプロセッサの単一のメモリ装置、複数のメモリ装置、及び／又は組み込み回路であってよい。こうしたメモリ装置は、読み出し専用メモリ、ランダムアクセスメモリ、揮発性メモリ、不揮発性メモリ、スタティックメモリ、ダイナミックメモリ、フラッシュメモリ、キャッシュメモリ、及び／又はデジタル情報を保存する任意の装置であってよい。
【００７１】
それぞれの制御ユニット２０８等のためのプロセッサが１つよりも多い処理装置を含む場合、処理装置が中央に配置され（たとえば、有線及び／又は無線バス構造を介して共に直接結合される）、又は分散配置される（たとえば、ローカルエリアネットワーク及び／又は広域ネットワークを介する間接的な結合を介したクラウドコンピューティング）ことに留意されたい。更に、それぞれの制御ユニット２０８のためのプロセッサが、ステートマシン、アナログ回路、デジタル回路、及び／又は論理回路を介してその機能の１つ又は複数を実行するとき、対応する動作命令を保存するメモリ及び／又はメモリ要素は、ステートマシン、アナログ回路、デジタル回路、及び／又は論理回路を含む回路の内部、又は外部に組み込まれてよいことに留意されたい。更に変更された乗り物表面に応じた乗り物の燃費操作及び本明細書に記載の方法を実行するために、図１〜図６に示された少なくともいくつかのステップ及び／又は機能に対応するハードコーディングされ且つ／又は動作可能な命令をメモリが保存してプロセッサが実行することに留意されたい。
【００７２】
任意の特定のハードウェア構成を動作させる本開示において制限はなく、したがって、本明細書における基本的特徴は、開発し得るような改良されたハードウェア及び／又はファームウェア構成のために置き換えられ、取り除かれ、付加されてよく、或いは変更されてよい。
【００７３】
図６は、相手先ブランド名製造（ＯＥＭ）ヒューマンマシンインタフェース（ＨＭＩ）装置１０４による非ＯＥＭハンドヘルドモバイル装置１０８（たとえば、図１〜図５参照）の相互動作性及び／又は動作を提供するためのＨＭＩ制御ユニット２００における例示的な工程６００である。
【００７４】
最初に、非ＯＥＭハンドヘルドモバイル装置は乗り物のネットワーク２１２（図２参照）と結合する。結合は有線結合及び／又は無線結合であってよい。有線結合の実例は、ＵＳＢ、ファイヤーワイヤー（ＩＥＥ１３９４）等のような様々な通信プロトコルを介したネットワークインタフェースを介するような乗り物のネットワーク２１２に対する装置１０８のための物理ソケット及び／又はピンレシーバである。無線結合の実例は、ＨＭＩ制御ユニット２００のアンテナ２２０（図２参照）、８０２．１１通信（及びその変形）、Ｂｌｕｅｔｏｏｔｈ、近距離無線通信（ＮＦＣ）等を介したものである。
【００７５】
装置１０８により結合を検知すると、ＨＭＩ制御ユニット２００は認証データを受信する。認証データは、ＨＭＩ制御ユニット２００に対して非ＯＥＭハンドヘルドモバイル装置を識別するように働く。装置１０８は、無線及び／又は有線結合を通してモバイル装置識別情報を取り出すことによって、且つ／又は更に非ＯＥＭハンドヘルドモバイル装置１０８との近距離無線通信（ＮＦＣ）によって識別されてよい。モバイル装置識別情報は、モバイルステーション識別（ＭＳＩＤ）データ、モバイル識別番号（ＭＩＮ）データ、国際モバイル加入識別（ＩＭＳＩ）データ、製造業者シリアル番号データ等の形式であってよい。
【００７６】
ＨＭＩ制御ユニット２００は動作６０２においてアクセス要求を受信する。認証すると、ＨＭＩ制御ユニット２００は、乗り物のネットワーク２１２に対するアクセス権限レベルを決定し、アクセス権限レベルは管理者アクセス権限レベル（すなわち、インストーラ及び／又は乗り物の組み立て設備におけるテストのためのような完全な乗り物のネットワークデータアクセス）、所有者アクセス権限レベル（すなわち、中程度の乗り物のネットワークデータアクセス）、及び／又はゲストアクセス権限レベル（すなわち、基本機能のための低いネットワークデータアクセス）であってよい。
【００７７】
理解され得るように、アクセス要求はソフトウェアライセンスキーを含んでよい。ソフトウェアライセンスキーは、非ＯＥＭハンドヘルドモバイル装置１０８（図１参照）を介したアプリの購入で提供され得る。ソフトウェアライセンスキーは、乗り物データ及び／又はＯＥＭＨＭＩ装置データにアクセスするための制限されたライセンスを提供する。ソフトウェアライセンスキーは、非ＯＥＭハンドヘルドモバイル装置１０８とのＯＥＭＨＭＩ装置１０４の相互動作性を提供するように動作してよい。キーは（非ＯＥＭハンドヘルドモバイル装置１０８の識別子のような）装置番号といくつかの他の情報との組み合わせであってよい。キーが非ＯＥＭハンドヘルドモバイル装置１０８に対して固有であるため、キーは他のモバイル装置によって送信され且つ／又は使用されない。
【００７８】
斯かるアクセスアプリは、乗り物の製造業者によって認可された再販売業者であり得る第三者ベンダーを通して提供されてよい。斯かるライセンスは、ソフトウェアライセンスキーがアクセスし得る多数のシート又は乗り物を含み、付加的なサービスを提供してよい。付加的なサービスの実例は、装置１０８に関するＨＭＩマッピング割り当てのクラウドストレージを含み、装置１０８が他の乗り物に再配置される場合、非ＯＥＭハンドヘルドモバイル装置が配備されるときにＨＭＩマッピング割り当てが乗り物にプッシュされる。
【００７９】
動作中、ＨＭＩ制御ユニット２００は、動作６０６においてヒューマンマシンインタフェース（ＨＭＩ）構成要求を送信する。ＨＭＩ構成要求は、装置１０４、装置１０６及び／又は装置１２０のような所望のＯＥＭＨＭＩ装置に対応する（図１参照）。
【００８０】
理解され得るように、乗り物のＯＥＭＨＭＩ装置は、概して非ＯＥＭハンドヘルドモバイル装置１０８とのアクセス性及び相互動作性のためにマッピングされる。
【００８１】
動作６０４においてＨＭＩ構成要求は、非ＯＥＭハンドヘルドモバイル装置による表示のためにグラフィックユーザインタフェース（ＧＵＩ）データを提供してよい。この実例において、ＯＥＭＨＭＩ装置１０４の表示は、非ＯＥＭハンドヘルドモバイル装置１０８において表示され、装置入力が学習される。たとえば、音量制御トグル入力１１６は装置１０８等の音量制御トグル入力とグラフィック的に相互に関連付けられる。
【００８２】
理解され得るように、非ＯＥＭハンドヘルドモバイル装置１０８は以前の構成アクティビティからの保存ＧＵＩデータをＨＭＩマッピング割り当てに提供してよい。非ＯＥＭハンドヘルドモバイル装置１０８はＯＥＭＨＭＩ装置との基本相互動作性に対するあらかじめ保存されたＧＵＩデータを単に確認してよい。また、ＨＭＩ制御ユニット２００はＨＭＩ構成要求と共にデフォルトＧＵＩデータを提供してよく、デフォルトＧＵＩデータは、ＯＥＭＨＭＩ装置１０４との相互動作性のため非ＯＥＭハンドヘルドモバイル装置１０８に適合されてもよい。
【００８３】
理解され得るように、ＯＥＭＨＭＩ装置１０４の音量制御トグル入力１１６に適用されるディスプレイスクロール機能のような他の機能をＧＵＩ表示にマッピングすることができる。
【００８４】
動作６０６において利用可能なマッピング割り当てがＨＭＩマッピング割り当て３１６としてＨＭＩ制御ユニット２００によって受信される。ＨＭＩマッピング割り当てにおいて、非ＯＥＭハンドヘルドモバイル装置１０８の機能的入力がＯＥＭＨＭＩ装置１０４のスイッチ入力とマッピングされ且つ／又は相互に関連付けられる（図４参照）。
【００８５】
適用されたＨＭＩマッピング割り当てにより、ＨＭＩ制御ユニット２００は、動作６０８においてＯＥＭＨＭＩ装置データをＯＥＭＨＭＩ装置１０４から受信するように動作し、非ＯＥＭＨＭＩデータを生成する。動作６１０において、ＯＥＭＨＭＩ装置データに基づいて非ＯＥＭハンドヘルドモバイル装置の少なくとも１つのアプリケーション機能を操作するために装置１０８に非ＯＥＭＨＭＩデータが提供される。
【００８６】
本発明に係る様々な機能及び特徴の特定の組み合わせが本明細書において明確に説明されてきたが、これらの特徴及び機能の他の組み合わせが可能であり、本明細書に開示された特定の実例によって限定されない組み合わせは、本発明の範囲内に明確に組み込まれる。
【００８７】
当業者が理解し得るように、「実質的に（substantially）」又は「おおよそ（approximately）」という語は、本明細書において使用され得るように、その対応する語及び／又はアイテムの間の関連性に対して産業上受け入れられる許容値を提供する。こうした産業上受け入れられる許容値は、１％未満から２０パーセントまでの範囲であり、限定されるものではないが、構成要素の値、集積回路の工程の変化、温度の変化、上下する回数、及び／又は熱的ノイズに対応する。アイテム間のこうした関連性は、数パーセントの差から大きな差へと広がる。更に当業者の一人が理解し得るように、「結合され（coupled）」という語は、本明細書において使用され得るように、直接的結合及び別の構成要素、要素、回路、又はモジュールを介した間接的結合を含み、ここにおいて、間接的結合のため、介在する構成要素、要素、回路、又はモジュールは、信号の情報を変更しないが、その電流レベル、電圧レベル、及び／又は電力レベルを調整してよい。更に当業者が理解し得るように、推定される結合（すなわち、推定により１つの要素が別の要素に結合される所）は、「結合され」と同様に２つの要素の間の直接的及び間接的結合を含む。更に当業者が理解し得るように、「好適に比較する、（compares favorably,）」という語は、本明細書において使用され得るように、２つ又はそれ以上の要素、アイテム、信号等の間の比較が所望の関係を提供することを示す。たとえば、所望の関係が第１の信号が第２の信号より大きな強度を有することであるとき、好適な比較は、第１の信号の強度が第２の信号の強度より大きいとき、又は、第２の信号の強度が第１の信号の強度より小さいときに実現されてよい。
【００８８】
「モジュール（module）」という語が図の記載において用いられるとき、モジュールは、出力信号を処理するための入力信号の処理のような１つ又は複数の機能を実行する、ハードウェア、ソフトウェア、及び／又はファームウェアにおいて実現される機能ブロックを含む。本明細書において使用されるように、モジュールは、それ自体がモジュールであるサブモジュールを含んでよい。
【００８９】
したがって、ハンドヘルドモバイル装置を有する乗り物のヒューマンマシンインタフェース（ＨＭＩ）装置による相互動作性を実施するための装置機器及び方法が好適な実施形態を含む複数の実施形態と共に本明細書において説明されてきた。
【００９０】
開示された発明は多数の方法で変更されてよく、特に説明されて上述された好適な形式以外の多くの実施形態を取ってよいことが当業者に明らかである。したがって、添付の特許請求の範囲によって、本発明に係る真の思想及び範囲内の、本発明に係る全ての変更を包含することが意図される。
【００９１】
前述の記載は、現在最も実用的な実施形態と考えられるものに関する。しかしながら、本開示は、これらの実施形態に限定されるものではなく、むしろ、添付の特許請求の範囲の思想及び範囲内に含まれる様々な変更及び均等な構成を包含するように意図されるものであることが理解され、その範囲は、全てのこうした変更及び均等な構造を包含するように最も広く解釈されるものである。
【図１】
2018032385.tif 000003
【図２】
2018032385.tif 000004
【図３】
2018032385.tif 000005
【図４】
2018032385.tif 000006
【図５】
2018032385.tif 000007
【図６】
2018032385.tif 000008
【外国語明細書】
2018032385000001.pdf